(57)【特許請求の範囲】
【請求項１】
成形面上に固定した環状のビードコアの外周側にビードフィラーを成形してビード部材を製造するビード部材製造方法であって、
前記ビードコアの断面形状が、前記ビードコアの外周面のうち前記成形面に対向する幅方向側面と前記成形面との間に空間ができる断面形状である場合において、
前記ビードコアの外周側に押出機の口金の先端を接近させた後、前記成形面を回転させながら前記口金から吐出された第１のゴムを前記ビードコアの幅方向側面と前記成形面との間の空間に隙間なく注入して環状の第１ビードフィラー部を成形する工程と、
前記成形面を回転させながら前記第１ビードフィラー部及び前記成形面の上に第２のゴムを供給して環状の第２ビードフィラー部を成形してビードフィラーを成形する工程と、を備えることを特徴とするビード部材製造方法。
【請求項２】
前記ビードコアの外周面は、径方向最外方にあるコア上面と、コア上面の幅方向両側にあるコア側面とで構成されており、
前記第１のゴムは、前記コア側面と前記成形面との間の空間に注入されることを特徴とする請求項１に記載のビード部材製造方法。
【請求項３】
前記口金の先端は、前記コア上面と前記成形面とのなす角よりも小さいテーパ角を有するテーパ状であることを特徴とする請求項２に記載のビード部材製造方法。
【発明の詳細な説明】
【技術分野】
【０００１】
本発明は、成形面上に固定した環状のビードコアの外周側にビードフィラーを成形してビード部材を製造するビード部材製造方法に関する。
【背景技術】
【０００２】
空気入りタイヤのビード部には、環状のビードコアが設けられ、そのビードコアのタイヤ径方向外側にビードフィラーが設けられている。空気入りタイヤの成形方法として、予めビードコアとビードフィラーを一体化してビード部材を製造しておき、このビード部材を他のタイヤ構成部材と組み合わせて成形する方法がある。
【０００３】
ビード部材は、図６に示すように、成形テーブルの成形面３００に固定したビードコア１００の外周側に、押出機の口金から吐出されたゴムを巻き付けてビードフィラー２００を成形して製造される。このとき、例えば、図６のようにビードコア１００の断面形状が六角形の場合、ビードコア１００の幅方向側面１００ａと成形面３００との間の狭い空間には、ゴムが入り込みにくく、ビードコア１００の幅方向側面１００ａとビードフィラー２００との間に隙間を生じやすい。その結果、空気入りタイヤを成形する際に、エア入りやビードコアとビードフィラーの接着不良といった問題を引き起こす。
【０００４】
下記特許文献１には、ビードコア及びビードフィラーを組付けてビード部を形成するタイヤの製造方法において、リボン状のビードフィラーゴムを巻回して、ビードコアの幅方向内側の領域のうちの前記ビードコアと接触する部分のみに、第一のビードフィラー領域を形成する工程と、形成された第一のビードフィラー領域に対し、ビードコアを幅方向外側から幅方向内側に向かって移動させて、第一のビードフィラー領域の幅方向外側にビードコアを組み付ける工程と、リボン状のビードフィラーゴムを巻回して、残りのビードフィラー領域を形成する工程と、を含むタイヤの製造方法が記載されている。
【０００５】
また、下記特許文献２には、環状のビードコアおよび環状のビードフィラーが一体化されたビードコア組立体の成形方法において、ビードフィラーは第１ゴム体および第２ゴム体を含み、リボン状ゴム材を支持部材上で巻回して環状の第１ゴム体を成形する第１成形工程と、リボン状ゴム材をビードコア上で巻回して環状の第２ゴム体を成形する第２成形工程と、第１成形工程後にビードコアおよび第２ゴム体を支持部材上の第１ゴム体と一体化する一体化工程と、を含むビードコア組立体の成形方法が記載されている。
【０００６】
特許文献１及び２の方法によれば、予め成形した第一のビードフィラー領域又は第１ゴム体の上にビードコアを組み付けるため、ビードコアの幅方向側面とビードフィラーとの間の隙間を理論上無くすことができる。しかしながら、第一のビードフィラー領域又は第１ゴム体の形状に沿わしてビードコアを正確に配置するのは難しく、ビードコアの幅方向側面とビードフィラーとの間に隙間を生じるおそれがある。
【先行技術文献】
【特許文献】
【０００７】
【特許文献１】特許第５５７７１７２号公報
【特許文献２】特許第４５８８５９４号公報
【発明の概要】
【発明が解決しようとする課題】
【０００８】
そこで、本発明の目的は、ビードコアの幅方向側面とビードフィラーとの間の隙間をなくしたビード部材を製造することができるビード部材製造方法を提供することにある。
【課題を解決するための手段】
【０００９】
上記目的は、下記の如き本発明により達成できる。    
即ち、本発明のビード部材製造方法は、成形面上に固定した環状のビードコアの外周側にビードフィラーを成形してビード部材を製造するビード部材製造方法であって、
前記ビードコアの外周側に押出機の口金の先端を接近させた後、前記成形面を回転させながら前記口金から吐出された第１のゴムを前記ビードコアの外周面と前記成形面との間に注入して環状の第１ビードフィラー部を成形する工程と、
前記成形面を回転させながら前記第１ビードフィラー部及び前記成形面の上に第２のゴムを供給して環状の第２ビードフィラー部を成形してビードフィラーを成形する工程と、を備えることを特徴とする。
【００１０】
本発明に係るビード部材製造方法において、前記ビードコアの外周面は、径方向最外方にあるコア上面と、コア上面の幅方向両側にあるコア側面とで構成されており、前記第１のゴムは、前記コア側面と前記成形面との間の空間に注入されることが好ましい。
【００１１】
また、本発明に係るビード部材製造方法において、前記口金の先端は、前記コア上面と前記成形面とのなす角よりも小さいテーパ角を有するテーパ状であることが好ましい。
【００１２】
かかる構成によるビード部材製造方法の作用効果を説明する。この構成によれば、ビードコアの外周側に押出機の口金の先端を接近させて、ビードコアの外周面と成形面との間に第１のゴムを注入するため、ビードコアの幅方向側面と成形面との間の空間にゴムを充填でき、ビードコアの幅方向側面とビードフィラーとの間の隙間をなくすことができる。
【図面の簡単な説明】
【００１３】
【図１】ビード部材の断面図
【図２】ビード部材製造装置の概略構成を示す側面図
【図３】図２のビード部材製造装置の要部拡大図
【図４】ビード部材の製造工程を説明するための説明図
【図５】別実施形態に係るビード部材の断面図
【図６】従来技術によって製造されたビード部材の断面図
【発明を実施するための形態】
【００１４】
以下、本発明の実施の形態について、図面を参照しながら説明する。図１はビード部材の断面図である。本発明に係るビード部材は、環状のビードコア１の外周側に環状のビードフィラー２を成形することにより製造される。
【００１５】
本実施形態のビードコア１は、断面形状が六角形となっている。本実施形態では、図１に示すような断面六角形状のビードコア１の外周側、具体的には外周面１ａに接するようにビードフィラー２を成形する例を示す。ビードコア１の外周面１ａは、径方向最外方にあるコア上面１１と、コア上面１１の幅方向両側にあるコア側面１２，１３とで構成されている。なお、ビードコア１の外周面１ａとは、ビードコア１の最大幅位置よりも径方向外方にある面とする。また、ビードコア１の内周面１ｂとは、ビードコア１の最大幅位置よりも径方向内方にある面とする。
【００１６】
ビードフィラー２は、断面形状が略三角形となっている。ビードフィラー２は、第１ビードフィラー部２１と第２ビードフィラー部２２とで構成されている。第１ビードフィラー部２１は、コア側面１２よりも幅方向外方域を含む領域に成形される。本実施形態の第１ビードフィラー部２１は、コア上面１１の一部にも接している。第２ビードフィラー部２２は、ビードフィラー２のうち第１ビードフィラー部２１以外の部分である。
【００１７】
図２はビード部材製造装置の概略構成を示す側面図であり、一部を断面図で示している。図３は図２の製造装置の要部を示す拡大図である。製造装置は、回転自在の成形テーブル３と、押出機４とを備えている。成形テーブル３は、略円盤状をしており、図２に矢印で示すように回転軸３１の周りを回転することができる。成形テーブル３は、不図示のモータにより回転駆動され、モータの回転数を制御することで成形テーブル３の回転数を自在に制御することができる。また、成形テーブル３は、本実施形態のように水平面内で回転するものに限定されず、鉛直面内で回転するようにしてもよい。
【００１８】
成形テーブル３には、環状のビードコア１が固定される。成形テーブル３の成形面３ａの上には、ビードコア１を固定するためのセグメント３２が設けられている。セグメント３２は、平面視で円弧状をしており、成形面３ａの周方向に沿って等間隔に複数設けられている。セグメント３２は、不図示のエアシリンダーによって成形面３ａの径方向に沿って移動可能であり、セグメント３２が径方向外側に向かって移動することで、ビードコア１の内周面１ｂを押圧して固定することができる。一方、セグメント３２が径方向内側に向かって移動することで、ビードコア１の固定が解除される。セグメント３２の外周面は、ビードコア１の内周面１ｂに対応した形状となっている。
【００１９】
押出機４は、不図示の押出機駆動手段により、成形テーブル３に対する相対位置が変更される。押出機４は、公知の構成であり詳細な説明は省略するが、主として、ゴム材料が投入されるホッパーと、ゴム材料に熱を与えながら前方に送り出すスクリューと、スクリューを内蔵する円筒状のバレルと、スクリューを駆動する駆動装置とを備える。スクリューの駆動及び回転速度は制御装置により制御され、ゴムの押出速度を制御することができる。
【００２０】
押出機４は、先端に第１の口金４１を備えている。第１の口金４１は、その先端に形成された吐出口から第１のゴムＲ１が吐出される。第１の口金４１の先端は、テーパ角θを有するテーパ状である。テーパ角θは、ビードコア１のコア上面１１と成形面３ａのなす角αよりも小さくなるように設定されている。これにより、第１の口金４１の先端をビードコア１の外周側に接近させることができる。
【００２１】
次に、ビード部材の製造方法について説明する。図４にビード部材を製造する工程を概略的に示す。
【００２２】
まず、図４（ａ）に示すように、セグメント３２によりビードコア１を成形テーブル３の成形面３ａ上に固定する。
【００２３】
次いで、図４（ｂ）に示すように押出機４を成形テーブル３に前進させ、ビードコア１の外周側に第１の口金４１の先端を接近させる。より具体的には、第１の口金４１の先端は、コア上面１１と成形面３ａに挟まれた領域に挿入される。これにより、第１の口金４１の吐出口をコア側面１２と成形面３ａとの間の空間に接近させることができる。
【００２４】
第１の口金４１の吐出口をビードコア１の外周側に接近させた後、図４（ｃ）に示すように、成形面３ａを回転させながら第１の口金４１の吐出口から吐出された第１のゴムＲ１をコア側面１２と成形面３ａとの間の空間に注入して環状の第１ビードフィラー部２１を成形する。第１ビードフィラー部２１を成形後、押出機４を後退させる。
【００２５】
次いで、図４（ｄ）に示すように第２の口金４２を成形テーブル３に接近させる。第２の口金４２は、押出機４とは別の押出機（不図示）の先端に接続されている。
【００２６】
第２の口金４２を成形テーブル３に接近させた後、図４（ｅ）に示すように、成形面３ａを回転させながら第１ビードフィラー部２１及び成形面３ａの上に第２のゴムＲ２を供給して環状の第２ビードフィラー部２２を成形してビードフィラー２を成形する。なお、第２の口金４２の先端は、ビードコア１、第１ビードフィラー部２１及び成形面３ａとともに、第２ビードフィラー部２２の断面形状に対応する空間を形成し、第２の口金４２の吐出口から吐出された第２のゴムＲ２を所望の断面形状を有する第２ビードフィラー部２２に成形できる。最後に、第２ビードフィラー部２２を成形後、第２の口金４２を後退させる。
【００２７】
＜別実施形態＞
（１）前述の実施形態では、ビードコア１の断面形状を六角形としているが、円形、楕円形、台形等としてもよい。ただし、ビードフィラー２は、ビードコア１の外周面との間に隙間が生じないような形状に成形される。
【００２８】
（２）前述の実施形態では、ビードコア１のコア上面１１が成形面３ａに垂直な方向から径方向外側に傾斜しているが、ビードコア１の配置はこれに限定されず、ビードコア１のコア上面１１が成形面３ａに対して垂直となるように配置してもよい。
【００２９】
（３）前述の実施形態では、ビードフィラー２が第１ビードフィラー部２１と第２ビードフィラー部２２とを備えているが、ビードフィラー２は、図５に示すような第３ビードフィラー部２３を更に備えてもよい。また、第１ビードフィラー部２１、第２ビードフィラー部２２、第３ビードフィラー部２３は、すべて同じゴムで成形されても、すべて異なるゴムで成形されてもよい。
【００３０】
（４）前述の実施形態では、第１の口金４１の先端をテーパ状としているが、これに限定されない。第１の口金４１の先端は、先端の吐出口をビードコア１の外周側に接近させて第１のゴムＲ１をコア側面１２と成形面３ａとの間の空間に注入することができれば、ストレート状等でも構わない。
【符号の説明】
【００３１】
１    ビードコア
１ａ  ビードコアの外周面
２    ビードフィラー
３ａ  成形面
１１    コア上面
１２    コア側面
１３    コア側面
２１    第１ビードフィラー部
２２    第２ビードフィラー部
４１    第１の口金
Ｒ１    第１のゴム
Ｒ２    第２のゴム
【図１】
0006605307.tif 000002
【図２】
0006605307.tif 000003
【図３】
0006605307.tif 000004
【図４】
0006605307.tif 000005
【図５】
0006605307.tif 000006
【図６】
0006605307.tif 000007